(57)【要約】【課題】絞り込み再生モードで画像の表示を行っている際、当該絞り込み再生モードが解除されても、直前まで閲覧していた画像をユーザーが見失わないようにする。【解決手段】システム制御部５０はグループに属する複数の画像のうち、当該グループを代表する代表画像以外の画像を１枚表示における画像送りの対象とせず、代表画像を１枚表示における画像送りの対象とするグループ再生を行い、さらに、特定の属性情報が付与された画像を再生対象とする絞り込み再生を行う。絞り込み再生を解除して特定の属性情報を有するか否かに関わらない再生に移行する際に、グループ再生を行うことが設定されていると、システム制御部はグループ再生を行わない設定に設定変更するための処理を行う。【選択図】図８
2014140112.tif 000002
【特許請求の範囲】
【請求項１】
グループに属する複数の画像のうち、当該グループを代表する代表画像以外の画像を１枚表示における画像送りの対象とせず、代表画像を１枚表示における画像送りの対象とするグループ再生を行う再生手段と、
前記グループ再生を行うか否かを設定する設定手段と、
特定の属性情報が付与された画像を再生対象とする絞り込み再生を行う絞り込み再生手段と、
前記絞り込み再生を解除して前記特定の属性情報を有するか否かに関わらない再生に移行する際に、前記設定手段によって前記グループ再生を行うことが設定されていた場合には、前記グループ再生を行わない設定に設定変更するための処理を行うように制御する制御手段と、
を有することを特徴とする表示制御装置。
【請求項２】
前記制御手段は、前記絞り込み再生を解除する旨の指示があった際、前記設定手段によって前記グループ再生を行うことが設定されていると、前記グループ再生を行わない設定に自動的に設定変更するための処理を行うことを特徴とする請求項１に記載の表示制御装置。
【請求項３】
前記制御手段は、前記絞り込み再生を解除する旨の指示があった際、前記設定手段によって前記グループ再生を行うことが設定されていると、前記グループ再生を行なわない設定に変更するユーザー操作を受け付けるための選択画面を表示部に表示して、前記グループ再生を行なわない設定に変更するユーザー操作を受け付けると、前記グループ再生を行わない設定に設定変更するための処理を行うことを特徴とする請求項１に記載の表示制御装置。
【請求項４】
前記制御手段は、前記絞り込み再生を解除する直前に表示されていた画像がグループの代表画像である場合には、前記グループ再生を行わない設定に設定変更するための処理を行わないことを特徴とする請求項１に記載の表示制御装置。
【請求項５】
前記グループの画像は、１回の撮影指示に応じて複数回の撮像を行う連写撮影で得られた画像であることを特徴とする請求項１乃至４のいずれか１項に記載の表示制御装置。
【請求項６】
前記グループの画像は、１回の撮影指示に応じて、特定の撮影パラメータをそれぞれ異なる値に設定した複数の撮影を行うブラケット撮影で得られた画像であることを特徴とする請求項１乃至４のいずれか１項に記載の表示制御装置。
【請求項７】
前記グループの画像は、１回の撮影指示に応じた少なくとも１回の撮像で得られた画像から異なる画像処理条件で生成された複数の画像であることを特徴とする請求項１乃至４のいずれか１項に記載の表示制御装置。
【請求項８】
請求項１乃至４のいずれか１項に記載の表示制御装置と、
被写体を撮像する撮像手段と、
１回の撮影指示に応じて、前記撮像手段で撮像を行って複数の画像を生成する特定の種別の撮影を行って前記グループの画像を得る撮影手段と、
を有することを特徴とする撮像装置。
【請求項９】
撮影の結果として得られた画像を表示制御する表示制御装置の制御方法であって、
グループに属する複数の画像のうち、当該グループを代表する代表画像以外の画像を１枚表示における画像送りの対象とせず、代表画像を１枚表示における画像送りの対象とするグループ再生を行う再生ステップと、
前記グループ再生を行うか否かを設定する設定ステップと、
特定の属性情報が付与された画像を再生対象とする絞り込み再生を行う絞込み再生ステップと、
前記絞り込み再生を解除して前記特定の属性情報を有するか否かに関わらない再生に移行する際に、前記設定ステップで前記グループ再生を行うことが設定されていた場合には、前記グループ再生を行わない設定に設定変更するための処理を行うように制御する制御ステップと、
を有することを特徴とする制御方法。
【請求項１０】
コンピュータを、請求項１乃至４のいずれか１項に記載された表示制御装置の各手段として機能させるためのプログラム。
【請求項１１】
コンピュータを、請求項１乃至４のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置、その制御方法、およびプログラム、並びに撮像装置および記憶媒体に関し、特に、連写撮影又はブラケット撮影などの一回の撮影指示で複数枚の撮影を行う撮影モードで得られた画像の絞り込み再生を解除した場合の表示制御に関する。
【背景技術】
【０００２】
近年、デジタルカメラなどの撮像装置では連続撮影の際のコマ速度が向上しており、連続撮影した際に類似の複数の画像を１つのグループとすることが行われている。そして、再生モードの際には当該グループに属する代表の画像のみを表示部に表示している。
【０００３】
例えば、連続撮影で得られた画像のうち、再生時に代表画像のみを表示部に表示するようにしたものがある（特許文献１参照）。
【０００４】
さらに、メモリカードなどの記録媒体の記録容量が増大している関係上、記録媒体には多数の画像が記録される傾向にある。このため、記録媒体に記録された多数の画像からユーザー所望の画像を検索して閲覧する手法がある。例えば、予め属性情報としてお気に入りを示すタグを画像に付加しておき、画像再生を行う際、当該お気に入りのタグが吹かされた画像のみ絞り込んで再生する絞り込み再生がある。
【０００５】
この絞り込み再生において、特定の分類情報を画像に付与して、当該分類情報が付与された画像のみを画像送りの対象とする再生手法が知られている（特許文献２参照）。
【先行技術文献】
【特許文献】
【０００６】
【特許文献１】特開２００７−２２１７６９号公報
【特許文献２】特開２００９−４４５７４号公報
【発明の概要】
【発明が解決しようとする課題】
【０００７】
ところで、特許文献２に記載の絞り込み再生において、例えば、グループにおける代表画像ではない画像を表示していた状態で絞り込み再生を解除したとする。この際、特許文献１に記載のように代表画像のみを再生するグループ再生設定となっていると、代表画像ではない画像は表示されず、当該代表画像ではない画像が属するグループの代表画像が表示されることになる。
【０００８】
つまり、絞り込み再生の解除前まで表示されていた代表画像ではない画像が絞り込み再生の解除に伴って表示されなくなってしまうので、ユーザーは、代表画像ではない画像の所在が分からなくなって困惑することがある。
【０００９】
従って、本発明の目的は、絞り込み再生モードで画像の表示を行っている際、当該絞り込み再生モードが解除されても、直前まで閲覧していた画像をユーザーが見失わないようにすることのできる表示制御装置、その制御方法、およびプログラム、並びに撮像装置および記憶媒体を提供することにある。
【課題を解決するための手段】
【００１０】
上記の目的を達成するため、本発明による表示制御装置は、グループに属する複数の画像のうち、当該グループを代表する代表画像以外の画像を１枚表示における画像送りの対象とせず、代表画像を１枚表示における画像送りの対象とするグループ再生を行う再生手段と、前記グループ再生を行うか否かを設定する設定手段と、特定の属性情報が付与された画像を再生対象とする絞り込み再生を行う絞込み再生手段と、前記絞り込み再生を解除して前記特定の属性情報を有するか否かに関わらない再生に移行する際に、前記設定手段によって前記グループ再生を行うことが設定されていた場合には、前記グループ再生を行わない設定に設定変更するための処理を行うように制御する制御手段と、を有することを特徴とする。
【発明の効果】
【００１１】
本発明によれば、絞り込み再生によって画像の表示を行っている際、当該絞り込み再生が解除されても、直前まで閲覧していた画像をユーザーが見失わないようにすることができる。
【図面の簡単な説明】
【００１２】
【図１】本発明の第１の実施形態による表示制御装置を備える撮像装置の一例についてその外観を示す斜視図である。
【図２】図１に示すカメラの構成の一例を示すブロック図である。
【図３】図２に示す記録媒体に記録される画像情報の一例を説明するための図である。
【図４】図１に示すカメラにおいて表示部に表示されるメニュー画面（再生メニュー画面）の一例を示す図である。
【図５】図２に示すカメラにおいてグループ再生のオン又はオフに応じた表示を説明するための図であり、（ａ）は全画像表示モードの際の表示を示す図、（ｂ）はグループ再生の際の表示を示す図である。
【図６】図２に示すカメラで行われる絞り込み再生の際の表示を説明するための図である。
【図７】図２に示すカメラを再生モードで起動した際の動作を説明するためのフローチャートである。
【図８】図７に示すグループ再生における通常再生を説明するためのフローチャートである。
【図９】図８に示す全画像表示モードにおける絞り込み再生を説明するためのフローチャートである。
【図１０】本発明の第２の実施形態による画像表示装置を備えるカメラで行われる全画像表示モードにおける絞り込み再生を説明するためのフローチャートである。
【図１１】図２に示す表示部に表示されるガイダンス画面の一例を示す図である。
【図１２】本発明の第３の実施形態におけるカメラにおいて記録媒体に記録される画像情報の一例を説明するための図である。
【図１３】本発明の第３の実施形態による画像表示装置を備えるカメラで行われる全画像表示モードにおける絞り込み再生を説明するためのフローチャートである。
【発明を実施するための形態】
【００１３】
以下、本発明の実施の形態による表示制御装置の一例について図面を参照して説明する。
【００１４】
［第１の実施形態］
図１は本発明の第１の実施形態による表示制御装置を備える撮像装置の一例についてその外観を示す斜視図である。
【００１５】
図示の撮像装置は、所謂デジタルカメラ（以下単にカメラと呼ぶ）であり、その背面側に表示部２８が配置されており、この表示部２８には画像および各種情報が表示される。
【００１６】
カメラ１００の上面には電源オンおよび電源オフを切り替える電源スイッチ７２が配置されるとともに、撮影指示を行うためのシャッターボタン６１が配置されている。
【００１７】
表示部２８の右側には、各種モードを切り替えるモードダイアル（モード切替スイッチともいう）６０が配置されるとともに、ユーザーからの各種操作を受け付ける操作部７０が配置されている。なお、シャッターボタン６１は操作部７０の１つである。
【００１８】
操作部７０にはユーザーからの各種操作を受け付けるための各種スイッチ、ボタン、およびタッチパネルなどが備えられている。さらに、操作部７０にはコントローラホイール７３が備えられており、このコントローラホイール７３は回転操作に応じた指令を送出する。
【００１９】
図示の例では、カメラ１００には、カメラ１００と外部機器（図示せず）とを接続するための接続ケーブル１１１が接続されている。接続ケーブル１１１はコネクタ１１２によってカメラ１００に接続される。
【００２０】
カメラ１００には記録媒体スロット２０１が形成されており、この記録媒体スロット２０１にはメモリカード又はハードディスクなどの記録媒体２００が収納される。
【００２１】
記録媒体スロット２０１に記録媒体２００を収納する際には、カメラ１００に設けられた蓋部２０２を開いて、記録媒体スロット２０１に記録媒体２００を収納する。
【００２２】
図２は、図１に示すカメラ１００の構成の一例を示すブロック図である。
【００２３】
図２において、カメラ１００は撮影レンズユニット（以下単に撮影レンズと呼ぶ）１０３を備えており、撮影レンズ１０３には、少なくともズームレンズおよびフォーカスレンズが備えられている。
【００２４】
撮影レンズ１０３の後段には絞り機能を備えるシャッター１０１が配置されている。そして、シャッター１０１の後側には、光学像（被写体像）を電気信号に変換するＣＣＤ又はＣＭＯＳ素子を有する撮像部２２が配置されている。撮像部２２の出力であるアナログ信号はＡ／Ｄ変換器２３によってデジタル信号（画像データ）に変換される。
【００２５】
なお、撮影レンズ１０３の前面側にはバリア１０２が配置されており、このバリア１０２は撮影レンズ１０３、シャッター１０１、および撮像部２２などを覆って、汚れおよび破損を防止するためのものである。
【００２６】
画像処理部２４はＡ／Ｄ変換器２３の出力である画像データ、又はメモリ制御部１５から画像データを受けて、所定の画素補間および縮小などのリサイズ処理と色変換処理とを行う。
【００２７】
また、画像処理部２４は撮像の結果得られた画像データを用いて所定の演算処理を行う。そして、システム制御部５０は当該演算結果に基づいて露光制御および測距制御を行う。
【００２８】
これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００２９】
さらに、画像処理部２４は撮像の結果得られた画像データを用いて所定の演算処理を行って、当該演算結果に基づいてＴＴＬ方式のＡＷＢ（オートホワイトバランス）処理を行う。
【００３０】
Ａ／Ｄ変換器２３からの出力である画像データは、画像処理部２４およびメモリ制御部１５を介して、或いは直接メモリ制御部１５を介して、メモリ３２（バッファメモリ）に一時的に書き込まれる。
【００３１】
メモリ３２は、所定枚数の静止画像又は所定時間の動画像および音声を格納するための十分な記憶容量を備えている。
【００３２】
図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００３３】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８は電子ビューファインダとして機能しスルー画像表示を行うことができる。
【００３４】
システム制御部５０はカメラ１００全体の制御を司る。不揮発性メモリ５６にはシステム制御部５０の動作用の定数、変数、およびプログラムなどが格納されている。
【００３５】
このプログラムには、後述する各種フローチャートを実行するためのプログラムが含まれる。不揮発性メモリ５６は電気的に消去・記録可能なメモリであって、例えば、ＥＥＰＲＯＭが用いられる。
【００３６】
システムメモリ５２は、例えば、ＲＡＭであり、システム制御部５０は不揮発性メモリ５６から動作用の定数、変数、およびプログラムなどを読み出して、システムメモリ５２に展開する。
【００３７】
なお、メモリ３２に書き込まれた画像データは、システム制御部５０においてファイル化されて、インターフェース（Ｉ／Ｆ）１８を介して記録媒体２００に記録される。
【００３８】
システム制御部５０にはシステムタイマー５３が接続されており、システムタイマー５２はシステム制御部５０による各種制御で用いる時間を計測してシステム制御部５０に与える。
【００３９】
前述のモード切替スイッチ６０は、例えば、システム制御部５０の動作モードを静止画記録モード、動画記録モード、および再生モードなどのいずれかに切り替えるためのスイッチである。
【００４０】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００４１】
また、モード切り替えスイッチ６０によって静止画記録モードに一旦切り換えた後、上記のモードのいずれかに操作部７０を用いて切り替えるようにしてもよい。同様に、動画記録モードにも複数のモードが含まれている。
【００４２】
シャッターボタン６１が操作途中（半押し：撮影準備指示）であると、第１のシャッタースイッチ６２がオンとなって、第１のシャッタースイッチ信号ＳＷ１がシステム制御部５０に与えられる。
【００４３】
これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００４４】
シャッターボタン６１が操作完了（全押し）になると、第２のシャッタースイッチ６４がオンとなって、第２のシャッタースイッチ信号ＳＷ２がシステム制御部５０に与えられる。これによって、システム制御部５０は撮像部２２の信号読み出しから記録媒体２００に画像データを書き込むまでの一連の撮像処理の動作を開始する。
【００４５】
表示部２８に表示される種々の機能アイコンを選択操作すると、場面毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００４６】
操作部７０においてメニューボタンが操作されると、システム制御部５０は各種設定を行うためのメニュー画面を表示部２８に表示する。ユーザーは表示部２８に表示されたメニュー画面を見て、４方向キーおよびＳＥＴボタンを用いて直感的に各種設定を行うことができる。
【００４７】
なお、図１に示すコントローラホイール７３は方向ボタンとともに選択項目を指示する際などに用いられる。
【００４８】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。
【００４９】
また、電源制御部８０は上記の検出結果およびシステム制御部５０の指示に基づいてＤＣ−ＤＣコンバータを制御して、所定の電圧を必要な期間の間、記録媒体２００を含む各部に供給する。
【００５０】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００５１】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００５２】
図３は、図２に示す記録媒体２００に記録される画像情報の一例を説明するための図である。
【００５３】
いま、記録媒体２００には１２枚の画像データ（以下単に画像とも呼ぶ）が記録されており、これら画像の各々には画像番号（例えば、ＩＭＧ＿０００１）および当該画像を特定するための画像情報が付与されている。この画像情報は画像が撮影された際の撮影モードを示すモード情報とユーザーに付与されたお気に入りタグ情報（つまり、特定の属性情報）とを有している。
【００５４】
図示の例では、モード情報とて単写撮影を示す単写（Ｓ）と連写（Ｃ）とがあり、単写（Ｓ）は当該画像が所謂単写撮影によって撮影された画像であることを示している。また、連写（Ｃ）は当該画像が連写撮影又はブラケット撮影などの一回の撮影指示で複数枚の撮影を行う撮影モードで撮影された画像であることを示している。
【００５５】
なお、ユーザーが操作部７０を用いてこれら画像のなかで気に入った画像を指定すると、システム制御部５０は指定された画像にお気に入りタグ情報を付与する。図示の例では、お気に入りタグ情報は符号”Ｆ”で示されている。
【００５６】
なお、以下の説明では、画像ＩＭＧ＿０００１〜ＩＭＧ＿００１２を画像”１”〜”１２”と表すこともある。
【００５７】
図４は、図１に示すカメラ１００において表示部２８に表示されるメニュー画面（再生メニュー画面）の一例を示す図である。
【００５８】
再生モードの際に、図２に示す表示部２８に表示される再生メニュー画面には、グループ再生のオンおよびオフを設定するための代表画像表示設定項目が表示される。グループ再生をオン（「入」）に設定すると、システム制御部５０は代表画像モードで動作し、グループ再生をオフ（「切」）に設定すると、システム制御部５０は全画像表示モードで動作することとする。
【００５９】
なお、グループ再生の設定を示す代表画像設定情報は、例えば、不揮発性メモリ５６に保存される。
【００６０】
ところで、図２に示すカメラ１００には連続撮影又はブラケット撮影などの１回の撮影指示に応じて複数枚の画像を生成（複数回の撮影又は一回の撮影によって得られた画像に対して異なる画像処理条件で画像処理を行って複数枚の画像を生成）する機能が備えられている。そして、グループ再生においては、これら複数枚の画像を１つのグループの画像として取り扱い、グループのうちの１枚の画像が代表画像とされて表示部２８に表示される。
【００６１】
そして、グループ再生がオンであると、後述するように、連写によって得られた一群の画像（つまり、グループ）においては代表画像のみが表示されることになる。
【００６２】
つまり、グループ再生の際には、１回の連続撮影で生成された複数の画像のうちの代表画像以外の画像は１枚表示による画像送りの対象とされず、代表画像が１枚表示による画像送りの対象とされることになる。
【００６３】
図５は、図２に示すカメラ１００においてグループ再生のオン又はオフに応じた表示を説明するための図である。そして、図５（ａ）はグループ再生がオフ、つまり、全画像表示モードの際の表示を示す図であり、図５（ｂ）はグループ再生がオン、つまり、グループ再生の際の表示を示す図である。
【００６４】
ここでは、図３に示すように、記録媒体２００には１２枚の画像が格納されているものとする。グループ再生がオフであると、つまり、全画像表示モードであると、システム制御部５０は、前述のモード情報に拘わらず、記録媒体２００から順次１２枚の画像を読み出す。そして、システム制御部５０はメモリ制御部１５を介して、図５（ａ）に示すように１２枚の画像（符号”１”〜”１２”）を順次表示部２８に表示する。
【００６５】
グループ再生がオンであると、つまり、代表像表示モードであると、システム制御部５０は、モード情報を参照して、モード情報が単写（Ｓ）である画像を記録媒体２００から読み出す。さらに、システム制御部５０は、モード情報が連写（Ｃ）である画像について、時系列的に連写（Ｃ）が連続する画像を１つのグループとして、当該グループにおける先頭画像を代表画像として記録媒体２００から読み出す。
【００６６】
この結果、図５（ｂ）に示すように、表示部２８には、順次画像”１”および”２”が表示され、続いて、画像”３”が代表画像として表示される。そして、１つのグループに属する画像”４”〜”９”は表示部２８に表示されず、代表画像の後には、画像”１０”〜”１２”が表示されることになる。
【００６７】
図６は、図２に示すカメラ１００において行われる絞り込み再生の際の表示を説明するための図である。
【００６８】
絞り込み再生では、図３に示すお気に入りタグ情報（Ｆ）が付与された画像のみが再生対象として再生される。絞り込み再生モードにおいては、システム制御部５０はグループ再生のオンオフに拘わらず、全画像表示モードで動作する。
【００６９】
絞り込み再生モードとなると、システム制御部５０は、お気に入りタグ情報を参照して、画像”１”、”５”、”７”、”１０”、および”１１”の５枚の画像を記録媒体２００から読み出して、メモリ制御部１５を介して順次表示部２８に表示する。
【００７０】
なお、以下の説明では、お気に入りタグ情報など特定の属性で画像を絞り込まない再生状態を通常再生と呼ぶこととする。
【００７１】
図７は、図２に示すカメラを再生モードで起動した際の動作を説明するためのフローチャートである。
【００７２】
なお、図７に示すフローチャートに係る処理は、図２に示す不揮発性メモリ５６に記録されたプログラムをシステムメモリ５２に展開してシステム制御部５０が実行することによって行われる。
【００７３】
また、再生モードによる起動とは、例えば、カメラ１００が撮影モードから再生モードに切り替わった場合又は電源オフから再生モードでカメラ１００を立ち上げた場合をいう。
【００７４】
再生モードで起動が行われると、システム制御部５０は不揮発性メモリ５６から代表画像設定情報を読み出す（ステップＳ７０１）。そして、システム制御部５０は代表画像設定情報を参照してグループ再生がオン（「入」）であるか否かを判定する（ステップＳ７０２）。
【００７５】
グループ再生がオンであると（ステップＳ７０２において、ＹＥＳ）、システム制御部５０は、後述するグループ再生における通常再生に移行する。一方、グループ再生がオフであると（ステップＳ７０２において、ＮＯ）、システム制御部５０は、後述する全画像表示モードにおける通常再生に移行する。
【００７６】
図８は、図７に示すグループ再生における通常再生を説明するためのフローチャートである。
【００７７】
なお、図８に示すフローチャートに係る処理は、図２に示す不揮発性メモリ５６に記録されたプログラムをシステムメモリ５２に展開してシステム制御部５０が実行することによって行われる。
【００７８】
グループ再生における通常再生を開始すると、システム制御部５０は操作部７０からの入力イベントを監視する（ステップＳ８０１）。入力イベントが発生すると、システム制御部５０は当該入力イベントがお気に入りタグ情報（Ｆ）を用いる絞り込み再生イベントであるか否かを判定する（ステップＳ８０２）。
【００７９】
入力イベントが絞り込み再生イベントでないと（ステップＳ８０２において、ＮＯ）、システム制御部５０は入力イベントがその他のイベントであるか否かを判定する（ステップＳ８０３）。ここで、その他のイベントとは、例えば、表示部２８にメニュー画面を表示するイベント又は表示部２８に表示される情報の切り替えを行うイベントである。
【００８０】
入力イベントがその他のイベントであると（ステップＳ８０３において、ＹＥＳ）、システム制御部５０は当該その他のイベントに応じた処理を行って（ステップＳ８０４）、ステップＳ８０１の処理に戻る。一方、入力イベントがその他のイベントでないと（ステップＳ８０３において、ＮＯ）、システム制御部５０は再生モードを終了するか否かを判定する（ステップＳ８０５）。
【００８１】
再生モードを終了すると判定すると（ステップＳ８０５において、ＹＥＳ）、システム制御部５０はグループ再生における通常再生を終了する。再生モードを終了しないと判定すると（ステップＳ８０５において、ＮＯ）、システム制御部５０はステップＳ８０１の処理に戻る。
【００８２】
入力イベントが絞り込み再生イベントであると（ステップＳ８０２において、ＹＥＳ）、システム制御部５０は、記録媒体２００に記録されたグループ（つまり、モード情報（Ｃ）が付与された画像）において、お気に入りタグ情報（Ｆ）が付加された画像が存在するか否かを判定する（ステップＳ８０６）。
【００８３】
お気に入りタグ情報（Ｆ）が付加された画像が存在すると（ステップＳ８０６において、ＹＥＳ）、システム制御部５０はグループ再生を解除（つまり、オフ）として（ステップＳ８０７）、全画像表示モードにおける絞り込み再生に移行する。一方、お気に入りタグ情報（Ｆ）が付加された画像が存在しないと（ステップＳ８０６において、ＮＯ）、システム制御部５０は全画像表示モードにおける絞り込み再生に移行する。
【００８４】
なお、上述の例では、絞り込み再生を行う際の属性としてお気に入りタグ情報を用いているが、例えば、ポートレートの画像に付与された人物のタグ情報又は風景写真に付与された風景のタグ情報を属性として用いるようにしてもよい。
【００８５】
図９は、図８に示す全画像表示モードにおける絞り込み再生を説明するためのフローチャートである。
【００８６】
なお、図９に示すフローチャートに係る処理は、図２に示す不揮発性メモリ５６に記録されたプログラムをシステムメモリ５２に展開してシステム制御部５０が実行することによって行われる。
【００８７】
全画像表示モードにおける絞り込み再生を開始すると、システム制御部５０は操作部７０からの入力イベントを監視する（ステップＳ９０１）。入力イベントが発生すると、システム制御部５０は当該入力イベントが絞り込み再生を解除するイベント（絞り込み再生解除イベント）であるか否かを判定する（ステップＳ９０２）。
【００８８】
入力イベントが絞り込み再生解除イベントでないと（ステップＳ９０２において、ＮＯ）、システム制御部５０は入力イベントが画像送りイベントであるか否かを判定する（ステップＳ９０３）。入力イベントが画像送りイベントであると（ステップＳ９０３において、ＹＥＳ）、システム制御部５０は表示する画像の送り処理を実行して（ステップ９０４）、ステップＳ９０１の処理に戻る。
【００８９】
一方、入力イベントが画像送りイベントでないと（ステップＳ９０３において、ＮＯ）、システム制御部５０は入力イベントがその他のイベントであるか否かを判定する（ステップＳ９０５）。入力イベントがその他のイベントであると（ステップＳ９０５において、ＹＥＳ）、システム制御部５０は当該その他のイベントに応じた処理を行って（ステップＳ９０６）、ステップＳ９０１の処理に戻る。
【００９０】
入力イベントがその他のイベントでないと（ステップＳ９０５において、ＮＯ）、システム制御部５０は再生モードを終了するか否かを判定する（ステップＳ９０７）。そして、再生モードを終了すると判定すると（ステップＳ９０７において、ＹＥＳ）、システム制御部５０は全画像表示モードにおける絞り込み再生を終了する。再生モードを終了しないと判定すると（ステップＳ９０７において、ＮＯ）、システム制御部５０はステップＳ９０１の処理に戻る。
【００９１】
入力イベントが絞り込み再生解除イベントであると（ステップＳ９０２において、ＹＥＳ）、システム制御部５０は、不揮発性メモリ５６から代表画像設定情報を読み出す（ステップＳ９０８）。そして、システム制御部５０は代表画像設定情報を参照してグループ再生がオン（「入」）であるか否かを判定する（ステップＳ９０９）。
【００９２】
グループ再生がオンであると（ステップＳ９０９において、ＹＥＳ）、システム制御部５０はグループ再生をオフ（「切」）として代表画像設定情報として不揮発性メモリ５６に保存する（ステップＳ９１０）。そして、システム制御部５０は全画像表示モードにおける通常再生に移行する。一方、グループ再生がオフであると（ステップＳ９０９において、ＮＯ）、システム制御部５０は全画像表示モードにおける通常再生に移行する。
【００９３】
ところで、全画像表示モードにおける絞り込み再生が行われていると、表示部２８に表示されている画像が連写によって得られた画像であっても当該画像が代表画像であるとは限らない。代表画像でない場合、例えば、図３に示すＩＭＧ＿０００５（“５”）の画像が表示されている際、絞り込み再生から通常再生に移行すると、表示部２８に表示される画像が図３に示すＩＭＧ＿０００５（“５”）からＩＭＧ＿０００３（“３”）に変わる。
【００９４】
このため、ここでは、ステップＳ９１０の処理によってグループ再生を自動的にオフとしているので、通常再生に移行した際に表示部２８に表示されている画像がそのまま表示されるので、ユーザーは閲覧中の画像を見失うことなく、画像送りによって確実な操作を行うことができる。
【００９５】
このように、本発明の第１の実施形態では、絞り込み再生においてグループの代表画像以外の画像が表示されている状態で、絞り込み再生を解除して通常再生に戻ったとしても、絞り込み再生を解除するとグループ再生を「入」から「切」に設定変更するようにしので、絞り込み再生が解除されても、常に絞り込み解除前まで表示されていた画像が表示されることになって、ユーザーの混乱を防止することができる。
【００９６】
［第２の実施形態］
続いて、本発明の第２の実施形態による表示制御装置を備えるカメラの一例について説明する。
【００９７】
なお、第２の実施形態におけるカメラの構成は図１および図２に示すカメラと同様である。また、第２の実施形態におけるカメラで行われる再生モードによる起動およびグループ再生における通常再生は図７および図８で説明した処理と同様である。
【００９８】
図１０は、本発明の第２の実施形態による画像表示装置を備えるカメラで行われる全画像表示モードにおける絞り込み再生を説明するためのフローチャートである。
【００９９】
なお、図１０に示すフローチャートに係る処理は、図２に示す不揮発性メモリ５６に記録されたプログラムをシステムメモリ５２に展開してシステム制御部５０が実行することによって行われる。また、図１０において、図９に示すフローチャートにおけるステップと同一のステップについては同一の参照符号を付して説明を省略する。
【０１００】
図９で説明したステップＳ９０９において、グループ再生の設定がオン（「入」）であると、システム制御部５０は、全画像表示モードからグループ再生に復帰するか否かをユーザーに選択させるためのガイダンス画面を表示部２８に表示する（ステップＳ１００１）。
【０１０１】
図１１は、図２に示す表示部２８に表示されるガイダンス画面の一例を示す図である。
【０１０２】
図１１に示すガイダンス画面（選択画面ともいう）１１０１では、「グループ再生に戻りますか？」の文言が表示されるとともに、「はい」ボタン１１０２および「いいえ」ボタン１１０３が表示される。
【０１０３】
続いて、システム制御部５０は、選択画面１１０１において、ユーザーが「いいえ」ボタン１１０３を選択したか否かを判定する（ステップＳ１００２）。ユーザーが「いいえ」ボタン１１０３を選択すると（ステップＳ１００２において、ＹＥＳ）、システム制御部５０はグループ再生設定をオフ（「切」）として代表画像設定情報を不揮発性メモリ５６に保存する（ステップＳ１００３）。そして、システム制御部５０は全画像表示モードにおける通常再生に移行する。
【０１０４】
一方、ユーザーが「はい」ボタン１１０２を選択すると（ステップＳ１００２において、ＮＯ）、システム制御部５０は、現在表示部２８に表示している画像が連写（Ｃ）、つまり、グループの画像であり、かつ代表画像であるか否かを判定する（ステップＳ１００４）。現在表示部２８に表示している画像がグループの画像であり、かつ代表画像であると（ステップＳ１００４において、ＹＥＳ）、システム制御部５０はグループ再生における通常再生に移行する。
【０１０５】
現在表示部２８に表示している画像がグループの画像でないか又は代表画像でないと（ステップＳ１００４において、ＮＯ）、システム制御部５０は、メモリ制御部１５を介して表示部２８にグループ（連写（Ｃ））の代表画像を表示する（ステップＳ１００５）。そして、システム制御部５０はグループ再生における通常再生に移行する。
【０１０６】
なお、ステップＳ９０９において、グループ再生の設定がオフ（「切」）であると、システム制御部５０は、全画像表示モードにおける通常再生に移行する。
【０１０７】
このように、本発明の第２の実施形態では、グループ再生の設定がオンであると、表示部２８にガイダンス画面１１０１を表示して、ユーザーにグループ再生に戻るか否かを選択させるようにしたので、ユーザーは容易に現在閲覧中の画像がグループ画像であるか否かを知ることができる。
【０１０８】
さらに、ユーザーが自分自身の判断でグループ再生に戻るか否かを選択することになるので、グループ再生に戻ることを選択した際においてもその後の画像送りなどにおいて困惑することがなく確実な操作を行うことができる。
【０１０９】
［第３の実施形態］
次に、本発明の第３の実施形態による表示制御装置を備えるカメラの一例について説明する。
【０１１０】
なお、第３の実施形態におけるカメラの構成は図１および図２に示すカメラと同様である。また、第３の実施形態におけるカメラで行われる再生モードによる起動およびグループ再生における通常再生は図７および図８で説明した処理と同様である。
【０１１１】
図１２は、本発明の第３の実施形態におけるカメラにおいて記録媒体２００に記録される画像情報の一例を説明するための図である。
【０１１２】
図１２に示す画像情報において、図３に示す画像情報と同一の要素については同一の参照符号および参照番号が付されている。図示の例では、画像ＩＭＧ＿０００１、ＩＭＧ＿０００３、ＩＭＧ＿０００７、ＩＭＧ＿００１０、およびＩＭＧ＿００１１にお気に入りタグ情報が付加されている。
【０１１３】
図１３は、本発明の第３の実施形態による画像表示装置を備えるカメラで行われる全画像表示モードにおける絞り込み再生を説明するためのフローチャートである。
【０１１４】
なお、図１３に示すフローチャートに係る処理は、図２に示す不揮発性メモリ５６に記録されたプログラムをシステムメモリ５２に展開してシステム制御部５０が実行することによって行われる。また、図１３において、図９に示すフローチャートにおけるステップと同一のステップについては同一の参照符号を付して説明を省略する。
【０１１５】
図９で説明したステップＳ９０９において、グループ再生の設定がオン（「入」）であると、システム制御部５０は、現在表示部２８に表示している画像がグループの画像であり、かつ代表画像であるか否かを判定する（ステップＳ１３０１）。現在表示部２８に表示している画像がグループの画像であり、かつ代表画像であると（例えば、画像ＩＭＧ＿０００３が表示されている場合：ステップＳ１３０１において、ＹＥＳ）、システム制御部５０はグループ再生における通常再生に移行する。
【０１１６】
一方、現在表示部２８に表示している画像がグループの画像でないか又は代表画像でないと（例えば、画像ＩＭＧ＿０００７が表示されている場合：ステップＳ１３０１において、ＮＯ）、システム制御部５０はグループ再生設定をオフ（「切」）として代表画像設定情報を不揮発性メモリ５６に保存する（ステップＳ１３０２）。そして、システム制御部５０は全画像表示モードにおける通常再生に移行する。
【０１１７】
なお、ステップＳ９０９において、グループ再生の設定がオフ（「切」）であると、システム制御部５０は、全画像表示モードにおける通常再生に移行する。
【０１１８】
このように、本発明の第３の実施形態では、前述の第２の実施形態のようにグループ再生に戻るか否かをユーザーが選択するためのガイダンス画面の表示が行われないので、ユーザー操作が少なくて済むというメリットがある。そして、絞り込み再生から通常再生に移行する際、表示部２８に表示された画像が切り替わることがないので切換ることがないので、ユーザーは画像を見失うことなく、その後の画像送りなどを確実に操作することができる。
【０１１９】
なお、前述のように、グループの画像を得る際には、連続撮影ばかりでなく、１回の撮影指示に応じて、特定の撮影パラメータをそれぞれ異なる値に設定した複数の撮影を行うブラケット撮影を用いるようにしてもよい。
【０１２０】
さらには、前述のように、グループの画像を得る際には、１回の撮影指示に応じた１回の撮像で得られた画像に応じて互いに異なる画像処理条件で生成された複数の画像を得る撮影を用いるようにしてもよい。
【０１２１】
そして、これら連続撮影、ブラケット撮影、および画像処理条件を異ならせて複数の画像を得る撮影の各々は、特定の種別の撮影と呼ばれる。
【０１２２】
以上説明したように、本発明の実施の形態では、再生モードが切り替わったとしても、その直前まで閲覧していた画像を見失うことがない。その結果、ユーザーは困惑することなくその後の画像再生において確実な操作を行うことができる。
【０１２３】
なお、上述のシステム制御部５０の制御は１つのハードウェアが行ってもよいし、複数のハードウェアが処理を分担することで、装置全体の制御を行ってもよい。
【０１２４】
上述の説明から明らかなように、図２に示す例においては、少なくともシステム制御部５０およびメモリ制御部１５が表示制御装置を構成する。また、撮影レンズ１０３、シャッター１０１、撮像部２２、およびＡ／Ｄ変換器２３が撮像手段として機能する。また、画像処理部２４およびシステム制御部５０は撮影手段として機能する。
【０１２５】
さらに、システム制御部５０およびメモリ制御部１５は再生手段、絞り込み再生手段、および制御手段として機能する。また、操作部７０およびシステム制御部５０は設定手段として機能する。
【０１２６】
本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２７】
また、上述した実施形態においては、本発明をデジタルカメラなどの撮像装置に適用した場合を例にして説明したが、これはこの例に限定されず、画像再生機能を有する電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、ゲーム機、電子ブックリーダーなどに適用可能である。
【０１２８】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１２９】
１５  メモリ制御部
２２  撮像部
２４  画像処理部
２８  表示部
５０  システム制御部
５２  システムメモリ
５６  不揮発性メモリ
７０  操作部
８０  電源制御部
２００  記録媒体
【図１】
2014140112.tif 000003
【図２】
2014140112.tif 000004
【図３】
2014140112.tif 000005
【図４】
2014140112.tif 000006
【図５】
2014140112.tif 000007
【図６】
2014140112.tif 000008
【図７】
2014140112.tif 000009
【図８】
2014140112.tif 000010
【図９】
2014140112.tif 000011
【図１０】
2014140112.tif 000012
【図１１】
2014140112.tif 000013
【図１２】
2014140112.tif 000014
【図１３】
2014140112.tif 000015